(57)【要約】折りたたみカートンが、内部空間を形成する一連のパネルを有する。上閉鎖フラップ（２６）が、内部空間の上に折りたたまれることが可能である。上ロックタブ（３８）が上閉鎖フラップ（２６）に接続される。上ロックタブ（３８）は、内部空間への挿入のための角度で折り曲げられる。ロックノブ（４、６）が、上ロックタブ（３８）の両側から延びる。ロックノブ（４、６）は、内部空間を形成する二枚の横パネル（１１、１３）との摩擦はめ合を形成するように、上ロックタブ（３８）から十分に延びる。そのような折りたたみカートンを形成する素材も示される。
2005535529.tif 000002
【特許請求の範囲】
【請求項１】
内部空間を形成するように配置された、第一パネル及び第二パネル及び第三パネル及び第四パネルであって、第一パネルは第二パネルと第四パネルとに隣接し、第二パネルは第一パネルと第三パネルとに隣接し、第三パネルは第二パネルと第四パネルとに隣接し、第四パネルは第三パネルと第一パネルとに隣接し、第一パネルと第三パネルはほぼ平行であり、第二パネルと第四パネルはほぼ平行であり、内部空間は上閉鎖端と下閉鎖端とを有する、第一パネル及び第二パネル及び第三パネル及び第四パネルと；
第三パネルに接続され、上閉鎖端上に折り曲げ可能な上閉鎖フラップと；
上閉鎖フラップに接続された上ロックタブであって、第一パネルと第三パネルとの間への挿入のための角度で折り曲げられ、第一フラップ辺及び第二フラップ辺を有する上ロックタブと；
第一パネルとの摩擦はめ合を形成するのに十分な距離で、上ロックタブの第一フラップ辺から延びる概ね半円形の第一ロックノブであって、ロックタブの挿入及び取り外しの両方を円滑にし、また閉鎖フラップが完全に閉じられるとき変形されて第一パネルと摩擦係合される、概ね半円形の第一ロックノブと；を具備するカートン。
【請求項２】
第三パネルとの摩擦はめ合を形成するのに十分な距離で、第二フラップ辺から延びる概ね半円形の第二ロックノブをさらに具備する、請求項１に記載のカートンであって、該第二ロックノブは、ロックタブの挿入及び取り外しの両方を円滑にし、また該第二ロックノブは、閉鎖フラップが完全に閉じられるとき変形されて第三パネルと摩擦係合される、請求項１に記載のカートン。
【請求項３】
第一ロックノブが第一ロックノブ外側縁を有し、第二ロックノブが第二ロックノブ外側縁を有し、第一ロックノブ外側縁から第二ロックノブ外側縁までの距離が、第一パネルから第三パネルまでの距離より大である、請求項２に記載のカートン。
【請求項４】
第一ロックノブの少なくとも一部分がロックタブに直角をなすように、第一ロックノブが変形される、請求項３に記載のカートン。
【請求項５】
第二ロックノブの少なくとも一部分がロックタブに直角をなすように、第二ロックノブが変形される、請求項４に記載のカートン。
【請求項６】
第一ロックノブ及び第二ロックノブが半径を有し、該半径が約０．７９４ｍｍ（1/32 in）と約０．３９７ｍｍ（1/64 in）との間にある、請求項５に記載のカートン。
【請求項７】
第一ロックノブ及び第二ロックノブが高さを有し、該高さが半径より大きい請求項６に記載のカートン。
【請求項８】
カートンの形成に使用する折り曲げ可能な板紙の単一素材であって：
第一折り線に沿って左パネルに折り曲げ可能に接合されている後パネル、及び第二折り線に沿って前パネルに折り曲げ可能に接合されている左パネル、及び第三折り線に沿って右パネルに折り曲げ可能に接合されている前パネル；
第四折り線に沿って前パネルに折り曲げ可能に接合されている上閉鎖フラップ；
第五折り線に沿って上閉鎖フラップに折り曲げ可能に接合されている上ロックタブであって、上ロックタブ第一辺と上ロックタブ第二辺とをもつ上ロックタブ；並びに、
ロックパネルの最初の挿入の際に、左パネルとの相互作用の結果として少なくとも部分的に左パネルに当接するべく自動的に変形されるように、上ロックタブ第一辺に取り付けられて、第一折り線を超えて延びる第一ロックノブであって、ロックタブの挿入及び取り外しの両方を円滑にするように形作られた第一ロックノブ；を提供するために切り抜かれて折り線を付けられた単一素材。
【請求項９】
第六折り線に沿って後パネルに接続された接着パネルをさらに具備する、請求項８に記載の単一素材。
【請求項１０】
上ロックタブ第二辺に取り付けられた第二ロックノブをさらに具備する、請求項９に記載の単一素材であって、第二ロックノブが、左パネルと右パネルとの間へのロックパネルの最初の挿入の際に、右パネルとの相互作用の結果として少なくとも部分的に右パネルに当接するべく自動的に変形されるように第六折り線を超えて延びる、請求項９に記載の単一素材。
【請求項１１】
第一ロックノブ及び第二ロックノブがほぼ半円形である、請求項１０に記載の単一素材。
【請求項１２】
第一ロックノブ及び第二ロックノブが半径を有し、該半径が約０．７９４ｍｍ（1/32 in）と約０．３９７ｍｍ（1/64 in）との間にある、請求項１１に記載の単一素材。
【請求項１３】
後パネルが後パネル幅を有し、第一ロックノブが第一ロックノブ端を有し、第二ロックノブが第二ロックノブ端を有し、第一ロックノブ端から第二ロックノブ端までの距離が後パネル幅より大である、請求項８に記載の単一素材。
【請求項１４】
上ロックタブが、上ロックタブ幅と、上ロック長さとを有し、上ロックタブ幅が、上ロックタブ幅の大部分において後パネル幅より実質的に小さい、請求項１３に記載の単一素材。
【請求項１５】
第六折り線に沿って後パネルに接続された接着パネルをさらに具備する、請求項１４に記載の単一素材。
【請求項１６】
第七折り線に沿って左パネルに接続された第一ダストフラップと、第八折り線に沿って左パネルに接続された第二ダストフラップと、第九折り線に沿って右パネルに接続された第三ダストフラップと、第十折り線に沿って右パネルに接続された第四ダストフラップとをさらに具備する、請求項１５に記載の単一素材。
【請求項１７】
第十一折り線に沿って前パネルに接続された下閉鎖フラップをさらに具備する、請求項１６に記載の単一素材。
【請求項１８】
第十二折り線に沿って下閉鎖フラップに接続された下ロックタブをさらに具備する、請求項１７に記載の単一素材。
【発明の詳細な説明】
【技術分野】
【０００１】
本出願は、２００２年８月１３日に出願された、名称が「折りたたみカートン用ロックノブ」の米国仮特許出願第６０／４０３１３２号の利益を主張する。
【０００２】
本発明は、カートンに、より詳しくは板紙折りたたみカートンのための閉鎖手段に関するものである。
【背景技術】
【０００３】
折りたたみカートンは、包装技術分野でよく知られている。カートンは、板紙のシートからあらかじめ切断されて折り線を生成するようにあらかじめ折り目を付けられた平らな素材から構築される。カートンの素材は、カートンの面を形成するための複数のパネルを含んでいる。長方形のカートン用素材は、例えば、四つの主パネルを有し、前記四つの主パネルはカートンの四つの側面を形成する。カートンが構築されたとき開放と閉鎖を可能にするために、普通は閉鎖フラップが素材の上端及び下端のそれぞれに取り付けられる。更に、小フラップ又はダストフラップが、素材の上端及び下端のそれぞれに与えられる。小フラップは、カートンへの埃及び屑を避けるのを助ける。
【０００４】
カートンは閉鎖フラップを閉鎖位置で固定するための構造を好ましく含んでいる。従来のカートンはロックスリットを閉鎖フラップにしばしば含んでいる。ロックスリットは通常は、カートンの閉鎖フラップの折り線におけるスリット切れ目からなる。ロックスリットが正しく機能するように、カートンの各々の端は閉鎖フラップに加えて小フラップを含まなければならない。小フラップは、カートンの開口部を覆うために最初に下に折りたたまれる。閉鎖フラップは次に小フラップの上に折りたたまれてカートンの中に差し込まれる。ロックスリットは小フラップと連結されて閉鎖フラップを閉鎖位置に固定する。この閉鎖方法は深刻な問題を有している。例えば、カートンの繰り返しの開閉はしばしば、ロックスリットを閉鎖フラップの中に更に食い込ませ、その結果閉鎖フラップに裂け目を作り出して、閉鎖機構の有効性を減ずる。更にロックスリットは、それらが折り線に沿って見える露出された縁を放置するので、特に美容分野において美的に不満足なものであると考えられている。
【０００５】
代わりに、従来のカートンは、閉鎖フラップをカートン内に摩擦はめ合させることによって閉鎖位置に固定されることもある。この方法では、閉鎖フラップは、閉鎖フラップとカートンの側壁との間の摩擦はめ合によって閉鎖位置に保持される。この摩擦性保持を確実にするために、閉鎖フラップの幅は、非常に正確に管理されなければならない。閉鎖フラップが広すぎると、閉鎖フラップはカートンの開口部内に嵌らないで、従ってカートンを閉鎖しない。このタイプの摩擦はめ合閉鎖フラップをもつカートンを包装機が閉じることは困難である。更に、少し使用した後、閉鎖フラップの縁は磨耗し始めて、閉鎖フラップのカートン内への嵌め合いを損なう。閉鎖フラップが狭過ぎるなら、摩擦はめ合は確立されないで、フラップはカートン開口部に緩く着座するだけである。
【発明の開示】
【０００６】
前述の問題は、折りたたみカートンが、複数の突起若しくはロックノブを含む閉鎖フラップを設けられる本発明によって克服され、前記複数の突起若しくはロックノブはフラップを閉鎖位置に保持することに役立つものである。ロックノブは、閉鎖フラップとカートンの側壁との間に摩擦はめ合を生成するのに十分な距離で閉鎖フラップから突出する。摩擦はめ合は、閉鎖フラップを閉鎖位置に保持することに役立つ。
【０００７】
好適な実施例では、閉鎖フラップは、それがカートン内へ自由に嵌るようにカートンよりわずかに狭い。ロックノブは、閉鎖フラップとロックノブとの総合幅がカートンの幅を超えるように、十分な距離で閉鎖フラップから延びる。閉鎖フラップが最初に閉じられるとき、カートンの側壁との相互作用がロックノブを閉鎖フラップに直角に折り曲げ、そのことにより閉鎖フラップの幅をカートンの幅に一致するように“設定”する。幅が干渉によって設定されるので、摩擦はめ合が閉鎖フラップと側壁との間に生成される。
【０００８】
他の好適な実施例では、一つのロックノブが、上閉鎖フラップの左辺及び右辺の各々から突出する。各ロックノブは、カートンの対応する側壁を超えて延びるのに十分な距離で閉鎖フラップから突出する。結果として、両方のロックノブは、側壁に係合し、また閉鎖フラップが第一回目に閉じられるとき直角に折り曲げられる。これは閉鎖フラップの両側に摩擦はめ合を生み出して、閉鎖フラップの保持力を著しく増大させる。
【０００９】
他の好適な実施例では、カートンは、閉鎖フラップより下に配設された小フラップ若しくはダストフラップを含む。閉鎖フラップにおけるロックノブの位置は、小フラップが使用された場合、ロックノブの直角折り曲げ部分が小フラップの下面にひっかかり、閉鎖フラップを閉鎖位置にさらに確保するようになっている。ロックノブと小フラップとの間の相互作用は、閉鎖フラップが開閉されるとき顕著な“節度感”を提供する。
【００１０】
本発明は、先行技術の折りたたみカートンに対して顕著な利点を提供する。二重固定方法、つまり摩擦はめ合と連結部材の両方を使う二重固定方法は、カートンの形成に必要な精度を下げる。より詳しくは、閉鎖フラップ全体が側壁に摩擦係合しない（ロックノブのみがそうする）ので、カートンの切断及び折り曲げは、包装機によって正確に閉じられるカートンのために絶対的に正確である必要はない。これは、最初閉鎖フラップがカートン内に挿入されたとき、ロックノブが摩擦はめ合を提供するのに必要なところまで変形するためである。したがって、切断時に閉鎖フラップの幅を正確に制御しなければならないことの代わりに、カートンの壁がフラップの幅を設定する。さらに、ロックノブとダストフラップとの相互作用が、閉鎖フラップが開閉されるときに顕著な“節度感”をもつ確実な閉鎖を提供する。さらに、ロックスリットがないので、折りたたみカートンは、美的に満足でき、またほとんど裂けることはない。
【００１１】
本発明のこれらの及び他の目的、利点、及び特徴が、添付図面の詳細な記載を参照することにより、より容易に理解されまた評価されるであろう。
【発明を実施するための最良の形態】
【００１２】
本発明の好適な実施例による折りたたみカートン１が図１に示されている。図示されたカートン１は、化粧品又は他の同様の内容物のチューブを収容することが意図された概ね長方形のカートンである。図２で恐らく最良に見られるように、カートン１は、カートン１の側壁を形成する複数のパネル１１、１２、１３、及び１４はもとより、ダストフラップ２７、２８、２９、及び３０、並びにカートン１の頂部と底部を形成する上閉鎖フラップ２６並びに下閉鎖フラップ２５を通常は含んでいる。上閉鎖フラップ２６は外側に延びる一対のロックノブ４、６を含んでいる。ロックノブ４、６は、閉鎖フラップを閉鎖位置で保持するために、カートンの側壁及びダストフラップと相互作用をする。本発明が、化粧品又は他の同様の内容物のチューブを収容することが意図された長方形のカートンに関連して説明されるが、本発明は、基本的に任意のサイズ、形状、又は構造形のカートンに使用すること、及び基本的に任意の内容物を保持することに良く適するものである。
【００１３】
上述されたように、カートン１は概ね長方形であって一つ以上の製品を収容するための内部空間５２を形成する。製造の間に、カートン素材１０は、カートン１の内部空間５２内への製品の挿入を可能にする開放上閉鎖フラップ２６を備えるカートン１を提供するために、好ましく折られて接着される。製品（非図示）の挿入及び上閉鎖フラップ２６の閉鎖は、従来的な包装組立てラインで通常は行われる。使用の際に、カートンの上閉鎖フラップ２６は、カートン１に収容された製品への繰り返しのアクセスを提供するために、繰り返し開閉される。通常は、カートン１の下閉鎖フラップ２５は閉鎖位置に残る。しかしながら、ある用途では開閉されることがあり、従って必要な場合ロックノブが設けられる。
【００１４】
好適な実施例では、パネル１１、１２、１３、及び１４は、長方形に作られて、接着パネル１５によってこの形状に保持される。接着パネル１５は、後パネル１４から好ましく延び、また右パネル１１の内面に接着固定される。
【００１５】
カートン１は、ここで図２及び３を参照して更に詳細に説明され、前記図２及び３は、好適な実施例のカートン１の製造に使用されるカートン素材１０を示している。図２は、カートン１を形成する素材１０の前面８０を示している。背面は、基本的に前面の鏡像であり、従ってこれ以上論述されない。示されるように、カートン１は、一体の板紙素材１０から製造されるのが好ましく、前記一体の板紙素材１０はカートン１を形成するために従来的な方法で折られる。好適な実施例では、板紙素材は、約０．２５４ｍｍ（0.010 in）から０．６１０ｍｍ（0.024 in）の厚さをもつ従来的な板紙材料から製造される。具体的な板紙は、主としてカートンの所望の性質に基づいて、用途から用途で変化するであろう。
【００１６】
カートン素材の基本構造が図２に示されている。素材１０は上端部１６及び下端部１７を有する。素材１０は、右パネル１１、前パネル１２、左パネル１３、後パネル１４、及び接着パネル１５を更に有する。右パネル１１は、折り線２１に沿って前パネル１２に接続されている。前パネル１２は折り線２２に沿って左パネル１３に接続されている。左パネル１３は折り線２３に沿って後パネル１４に接続されている。後パネル１４は折り線２４に沿って接着パネル１５に接続されている。様々なパネルのサイズ、形状、及び構造形は必要に応じて用途から用途へ変化することが可能である。
【００１７】
さらに、前述されたように、カートン１の上端部及び下端部を閉じる下閉鎖フラップ２５及び上閉鎖フラップ２６がある。下閉鎖フラップ２５は、前パネル１２の下端部１７に折り線３２に沿って接続され、また上閉鎖フラップ２６は、後パネル１４の上端部１６に折り線３１に沿って接続されている。更に、下閉鎖フラップ２５は折り線３９によって形成された下ロックタブ３７を含んでいる。同様に、上閉鎖フラップ２６は、折り線４０によって形成された上ロックタブ３８を含んでいる。下閉鎖フラップ２５及び上閉鎖フラップ２６は、異なるパネルに交互に接続されることが可能である。
【００１８】
好適な実施例には四つのダストフラップ２７、２８、２９、及び３０がある。ダストフラップ２７、２８、２９、及び３０は、閉鎖フラップ２５及び２６が閉じられる前にカートン１の上端部及び下端部上に閉じられる。上ダストフラップ２９及び３０は、右パネル１１及び左パネル１３の上端部１６からそれぞれ延びる。上ダストフラップ２９は右パネル１１に折り線３３に沿って接続される。上ダストフラップ３０は、折り線３５に沿って左パネル１３に接続される。同様に、下ダストフラップ２７及び２８は、右パネル１１及び左パネル１３の下端部１７からそれぞれ延びる。下ダストフラップ２７は、折り線３４に沿って右パネル１１に接続され、又下ダストフラップ２８は、折り線３６に沿って左パネル１３に接続されている。
【００１９】
図２で、及び図３でより明瞭に見ることが出来るように、ロックノブ４、６が、上ロックタブ３８の上ロックタブ左辺５０と上ロックタブ右辺５２の各々から突出している。任意選択的に、ロックノブは、下ロックタブ３７のフラップ左辺５４とフラップ右辺５６の各々から突出することが可能である。本発明は、ロックノブ４、６に関して説明されるが、ロックノブが下ロックタブ３７に与えられるなら、それらはロックノブ４、６と同様に機能することが理解されるべきである。下ロックタブ３７におけるロックノブの構造は、上ロックタブ３８におけるロックノブ４、６の構造に基本的に同じである。代わりに、下ロックタブ３７は、図２に示されるようにロックスリットを含むか、又は従来的な摩擦はめ合によって閉じることが可能である。
【００２０】
各ロックノブ４、６は、上ロックタブ３８がカートン１に挿入されるとき側壁との摩擦はめ合を生み出すために上ロックタブ３８の辺から十分な距離を好適に突き出る。好適な実施例では、ロックノブ４、６は、上ロックタブ３８の対向する辺から延びるほぼ半円形の突起である。好適な実施例では、各ロックノブ４、６の半径は、従って上ロックタブ３８からの突出は、０．７９４ｍｍ（1/32”）と０．３９７ｍｍ（1/64”）との間にある。この実施例では、ロックノブ４、６の全高はロックノブ４、６の直径にほぼ等しい。側壁とのインターフェイス点におけるロックノブ４、６の高さは、側壁との摩擦はめ合から生まれる保持力に通常は影響する。一般的に言えば、インターフェイス場所におけるロックノブの高さが高くなると、側壁との係合の表面積が増えて、通常は保持力の増大に至る。従って、高さの高いロックノブは、上閉鎖フラップ２６の高い保持力を提供するために大きいカートンに使用される。ロックノブの正確なサイズ、形状、数、及び場所は、とりわけ、カートンの開閉に必要な力の大きさを制御するために、用途から用途で変化する。例えば、ロックノブ４、６は、ほぼ長方形７０であるか（図６参照）、又は一つの正方形エッジと一つの丸エッジ７２をもつか（図６参照）、又は一つ以上の角のあるエッジをもつことが可能である。
【００２１】
好適な実施例では、ロックノブ４、６は、閉鎖フラップが開閉されるとき認識できる“節度感”を提供するために、ダストフラップ２９及び３０と相互作用をするように作られている。ロックノブ４、６とダストフラップ２９及び３０との間の相互作用は、上ロックタブ３８がカートン１の中に挿入されたとき及びカートン１から取外されたとき、追加の保持力と触知できる指標とを提供する。好適には、ロックノブ４、６は、カートン１の側壁の幅を超えて上ロックタブ３８から延び、その結果閉鎖フラップが最初に閉じられたときロックノブ４、６が、ロックノブ４、６と側壁との相互作用によって後方に折りたたまれる（以下に詳細に説明される）。おそらく図４及び５に最良に示されるように、ロックノブ４、６は、上ロックタブ３８がカートン１の中に完全に挿入されたとき、ロックノブ４、６が上ダストフラップ２９及び３０の下に配設されるように、上ロックタブ３８に配置される。各ロックノブ４、６の折られた部分は、カートン１が開閉されるとき、対応するダストフラップ２９及び３０に引っ掛かるほどの十分な距離で後方に延びる。
【００２２】
ロックノブ４、６の働きは、上ロックタブ３８の上ロックタブ左辺５０に付けられたロックノブ４を参照してより詳しく説明される。上ロックタブ右辺５２上のロックノブ６の構造形が、基本的にそれの鏡像であることが理解されるべきである。カートン１が最初に形成されたとき、カートンは初期二次元素材１０から形成されるので、ロックノブ４、６及び上ロックタブ３８は共通の平面に沿って延びる。上閉鎖フラップ２６が最初にカートン１の中に挿入されるとき、ロックノブ４、６は、上閉鎖フラップ２６が完全に閉じられる前に、側壁の上縁部に、ある点で係合する。ロックノブ４、６が側壁の上縁部に係合した後、更なる挿入が、上閉鎖フラップ２６が完全に閉鎖されることが可能であるようにロックノブ４、６を変形させる。より詳しくは、側壁とロックノブとの間の相互作用は、（ロックノブを含む）上閉鎖フラップ２６の全幅が側壁の幅とほぼ等しくなるまでロックノブ４、６を変形させる。例えば、好適な実施例では、これが、ロックノブ４と側壁１１との間のほぼ交差点でロックノブ４を後方に折り曲げる。結果として、ロックノブ４は、その外側部分が右パネル１１の内面に沿って延びた状態でほぼＬ形構造形に曲げられる。摩擦はめ合がそれによりロックノブ４と右パネル１１との間に生み出される。更に、ロックノブ４の後方への折り曲げは、ロックノブ４の折り曲げられた部分と対応するダストフラップとの間の干渉嵌めを生み出す。上閉鎖フラップ２６が開閉されるとき、ロックノブ４、６は、側壁との摩擦はめ合、並びに上ダストフラップ２９、３０との干渉嵌めを引き起こす。使用者がカートン１を開けることを望んだとき、上閉鎖フラップ２６は、上閉鎖フラップ２６と側壁との間の摩擦に打ち克ち、かつロックノブ４、６に上ダストフラップ２９及び３０を通過させるのに十分な力で引き上げられる。ロックノブ４、６がダストフラップ２９及び３０を通るとき、先に論述された認識できる“節度感”が生じる。ロックノブは側壁との相互作用によって変形されるので、任意の所与のカートンのための（ロックノブを含む）閉鎖フラップの全幅は、カートンの側壁によって決定される。これは、カートンの幅がカートンからカートンで変化するとしても、閉鎖フラップの全幅が側壁の幅に一致するように自動的に設定されて摩擦はめ合を提供することを意味する。
【００２３】
カートン１は、概ね従来的な技法及び装置を使って製造される。前述されたように、カートン１は、０．２５４ｍｍ（0.010 in）から０．６１０ｍｍ（0.024 in）の範囲の厚さをもつ従来的な板紙から製造されることが好ましい。しかしながら、正確な材料及びその厚さは、用途から用途で変化し得る。素材１０は従来的な折り曲げ機を使って好適に折り曲げられる。左パネル１３及び右パネル１１は折り線２２及び２２に沿って上方へ９０度に折り曲げられる。後パネル１４は折り線２３に沿って右パネル１１の方向へ９０度で折り曲げられる。接着パネル１５は、折り線２４に沿って下方へ９０度に折り曲げられる。接着パネル１５は右パネル１１の内側に配置される。
【００２４】
接着パネル１５は、水性接着剤、溶液型接着剤、又は熱溶融型のような従来的な接着剤を使って右パネル１１に貼り付けられる。接着剤は、接着パネル１５のほぼ全長に沿って延びる線で塗布されることが好ましい。使用される接着剤が接着パネル１５又は右パネル１１又は両方に塗布され得ることが本技術分野では知られている。
【００２５】
右パネル１１と接着パネル１５とが封着された後、ダストフラップ２８及び３０が、折り線３６及び３５にそれぞれ沿って右パネル１１の方へ９０度の角度で折り曲げられる。ダストフラップ２７及び２９は、折り線３４及び３３にそれぞれ沿って左パネル１３の方へ９０度の角度で折り曲げられる。下閉鎖フラップ２５は、折り線３２に沿って９０度の角度で上方へ折り曲げられ、又上閉鎖フラップ２６は折り線３１に沿って９０度の角度で下方へ折り曲げられる。下閉鎖フラップ２５のロックタブ３７は、折り線３９に沿って後パネル１４の方へ９０度の角度で折り曲げられる。
【００２６】
下閉鎖フラップ２５のロックタブ３７はカートン１内に挿入され、その結果ロックタブ３７の前面８０が後パネル１４の裏面に接触する。ロックノブが下ロックタブ３７にあれば、ロックノブが変形してカートン１内に摩擦はめ合をするまで、圧力が下ロックタブ３７上に生じている。下ロックタブが閉じられる際に、認識できる“節度感”が、ロックノブがダストフラップ２７及び２８を通るとき生ずる。この状態で、カートン１は所望の内容物で容易に充填されることが可能である。
【００２７】
カートン１が充填されたあと、カートン１の頂部が閉じられる。上閉鎖フラップ２６の上ロックタブ３８は、折り線４０に沿って前パネル１２の方へ同様に９０度の角度で折り曲げられる。上閉鎖フラップ２６の上ロックタブ３８は、前パネル１２の内側に折られ、その結果上ロックタブ３８の前面８０が前パネル１２の裏面に接触する。ロックノブ４、６が変形してカートン１内で摩擦はめ合をするまで圧力が上ロックタブ３８に生じている。上ロックタブ３８が閉じられる際に、認識できる“節度感”が、ロックノブ４、６がダストフラップ２９及び３０を通るときに生じて、上ロックタブ３８がカートン１内でロックされたことを使用者に気づかせる。
【００２８】
カートン１を開けるためには、上閉鎖フラップ２６は、上ロックタブ３８がカートン１から取り外されるまで引っ張り上げられる。上閉鎖フラップ２６が引っ張り上げられるとき、ロックノブ４、６はダストフラップ２９及び３０を通って、認識できる“節度感”が発生する。カートン１を再び閉じるためには、上ロックタブ３８が、先に説明されたようにカートン１内に挿入されて戻される。上ロックタブ３８を着脱するこのプロセスは、必要に応じて使用者によって繰り返されることが可能である。
【００２９】
上記の記載は好適な実施例のものである。様々な変形形態及び変更形態が、特許請求の範囲で規定された本発明の精神と幅広い態様とから逸脱することなく、作られることが可能であり、前記特許請求の範囲は、均等論を含む特許法の原則に従って解釈されるべきである。例えば冠詞の“ひとつの（a）又は（an）”、又は“その（the）”、又は“前記（said）”を用いる単数形での請求要素への参照は、その要素を単数に限定するものとして解釈されるべきではない。
【図面の簡単な説明】
【００３０】
【図１】本発明の好適な実施例によるカートンの斜視図である。
【図２】本発明の好適な実施例によるカートン素材の平面図である。
【図３】上閉鎖フラップの平面図である。
【図４】切断線４−４に沿って見た、閉鎖状態におけるカートンの左側面部分断面図である。
【図５】切断線５−５に沿って見た、閉鎖状態におけるカートンの平面断面図である。
【図６】上閉鎖フラップの代替実施例の平面図である。
【図１】
2005535529.tif 000003
【図２】
2005535529.tif 000004
【図３】
2005535529.tif 000005
【図４】
2005535529.tif 000006
【図５】
2005535529.tif 000007
【図６】
2005535529.tif 000008
【国際調査報告】
2005535529.tif 000009
2005535529.tif 000010